(57)【要約】【課題】操作者が把持しやすいバルブ用ハンドルを提供すること。【解決手段】ボールバルブ１のハンドル１０（バルブ用ハンドル）は、回転操作用軸部材８の軸端部分８ａに同軸に装着される装着部３１と、装着部３１の軸線Ｌ２回りの周方向に配列された５つの指掛け部３２と、装着部３１と各指掛け部３２とを接続する接続部３４を有する。指掛け部３２は軸線Ｌ方向から見た場合の輪郭が円形であり、各指掛け部と装着部３１との間の距離は同一であり、接続部３４において周方向で隣り合う２つの指掛け部３２の間に位置する中間接続部分５５の外周縁は、５つの指掛け部３２の中心を接続する仮想円Ｓの内側に位置する。中間接続部分５５が径方向で小さいので把持しやすい。【選択図】図３
2018204677.tif 000002
【特許請求の範囲】
【請求項１】
弁体を回転させるバルブ装置の回転操作用軸部に取り付けられるバルブ用ハンドルにおいて、
前記操作用軸部に同軸に装着される装着部と、
前記装着部の軸線回りの周方向に配列されて当該装着部を囲む３つ以上の複数の指掛け部と、
前記装着部と各指掛け部とを接続する接続部と、を有し、
前記指掛け部は、前記軸線方向から見た場合の輪郭が円形であり、
各指掛け部と前記装着部との間の距離は同一であり、
前記接続部において前記周方向で隣り合う２つの指掛け部の間に位置する中間接続部分の外周縁は、複数の前記指掛け部の中心を接続する仮想円の内側に位置することを特徴とするバルブ用ハンドル。
【請求項２】
前記中間接続部分の外周縁は、前記周方向の中央部分が周方向の両端よりも内側に窪む湾曲形状であることを特徴とする請求項１に記載のバルブ用ハンドル。
【請求項３】
前記軸線方向から見た場合に、前記中間接続部分の外周縁は、前記指掛け部の輪郭に滑らかに連続し、
前記軸線回りの周方向の一方側を第１方向、他方側を第２方向としたときに、前記中間接続部分の外周縁において前記第１方向の側に位置して前記指掛け部に連続する端部分は当該指掛け部の前記第２方向の側の端よりも前記第１方向の側に位置することを特徴とすることを特徴とする請求項２に記載のバルブ用ハンドル。
【請求項４】
前記中間接続部分は、前記軸線方向に貫通する開口部を備えることを特徴とする請求項１または２に記載のバルブ用ハンドル。
【請求項５】
前記装着部から当該装着部と同軸で前記軸線方向に突出するレンチ掛け部を有することを特徴とする請求項１から４のうちのいずれか一項に記載のバルブ用ハンドル。
【請求項６】
前記指掛け部は、球形状であることを特徴とする請求項１から５のうちのいずれか一項に記載のバルブ用ハンドル。
【請求項７】
前記指掛け部は、円盤形状であることを特徴とする請求項１から６のうちのいずれか一項に記載のバルブ用ハンドル。
【請求項８】
前記指掛け部は、前記軸線回りに等角度間隔で５つ配列されていることを特徴とする請求項１から７のうちのいずれか一項に記載のバルブ用ハンドル。
【請求項９】
請求項１から８のうちのいずれか一項に記載のバルブ用ハンドルと、
流入口および当該流入口と同軸の流出口を備える弁箱と、
前記弁箱内に回転可能に配置されたボール弁体と、
前記弁箱を外側から内側に貫通して当該弁箱内の端部分が前記ボール弁体に接続された回転操作用軸部材と、を有し、
前記回転操作用軸部材は、前記流入口および前記流出口を通過する前記弁箱の軸線と直交する第２の軸線方向に延びており、
前記弁箱は、前記回転操作用軸部材を、前記第２の軸線回りに回転可能に支持し、
前記ボール弁体は、前記第２の軸線と直交する貫通流路を備え、
前記回転操作用軸部材における前記ボール弁体とは反対側の軸端部分は、前記回転操作用軸部であり、前記バルブ用ハンドルの装着部が取り付けられていることを特徴とするボ
ールバルブ。
【発明の詳細な説明】
【技術分野】
【０００１】
本発明は、バルブ装置に取り付けられるバルブ用ハンドルに関する。また、バルブ用ハンドルの回転によりボール弁体を開閉するボールバルブに関する。
【背景技術】
【０００２】
ボールバルブは、流入口および流出口を備える弁箱と、弁箱内に配置されたボール弁体と、弁箱を外側から内側に貫通して弁箱内の端部分がボール弁体に接続された回転操作用軸部材とを有する。回転操作用軸部材は、流入口および流出口を通過する弁箱の軸線と直交する第２の軸線方向に延びている。弁箱は、回転操作用軸部材を第２の軸線回りに回転可能に支持する。回転操作用軸部材におけるボール弁体とは反対側の軸端部分（軸部）には、バルブ操作用ハンドルが取り付けられている。ボール弁体は第２の軸線と直交する貫通流路を備える。
【０００３】
操作者がバルブ用ハンドルを把持して回転させると、回転操作用軸部材が回転して、弁箱内でボール弁体が回転する。これにより、ボール弁体の貫通流路が弁箱の軸線に沿った状態となるとボールバルブは開状態となり、弁箱内を水が流通可能となる。また、ボール弁体の貫通流路が弁箱の軸線と直交すると、ボールバルブは閉状態となり、弁箱内を水が流通不能となる。
【０００４】
特許文献１には、バルブ用ハンドルを備えるボールバルブが記載されている。図９に示すように、従来のバルブ用ハンドル１００は、操作用軸部材の端部分（軸部）に同軸に装着される装着部３１と、装着部３１の軸線Ｌ１回りの周方向に等角度間隔で配列された６つの指掛け部３２と、径方向に放射状に延びて装着部３１と各指掛け部３２とを接続する径方向接続部３８と、周方向で隣り合う２つの指掛け部の間を接続する円弧形状の周方向接続部３９を備える。指掛け部３２は球形状をしており、周方向接続部３９は軸線を中心として各指掛け部３２の中心を通過する通過する仮想円Ｓ上を延びており、周方向の中央部分が外周側に突出している。
【先行技術文献】
【特許文献】
【０００５】
【特許文献１】特開２０１４−２０６２４８号公報
【発明の概要】
【発明が解決しようとする課題】
【０００６】
ボールバルブを操作する際には、操作者は、バルブ用ハンドルの周方向接続部分を外周側から握り、周方向の一方側から各指掛け部に指を掛ける。そして、バルブ用ハンドルを軸線回りに回転させる。
【０００７】
ここで、従来のバルブ用ハンドルでは、バルブ用ハンドルを軸線回りに回転させようとしたときに、操作者の指が指掛け部から外周側に外れてしまうことがある。
【０００８】
すなわち、従来のバルブ用ハンドルでは、周方向に隣り合う２つの指掛け部の間に仮想円上を延びる円弧形状の径方向接続部が設けられているので、バルブ用ハンドルを把持した操作者の指は、指掛け部における仮想円よりも外側の部分に当接する。従って、バルブ用ハンドルを軸線回りに回転させようとしたときに、操作者の指が、球形状の指掛け部から外周側に滑り落ちてしまうことがある。また、操作者の手が、各指掛け部の中心を通過する通過する仮想円に対して小さい場合などには、操作者がバルブ用ハンドルをしっかり
と把持することができず、ボールバルブを開閉できないことがある。
【０００９】
本発明の課題は、このような点に鑑みて、操作者が把持しやすいバルブ用ハンドルを提供することにある。また、本発明の課題は、このようなバルブ用ハンドルを備えるボールバルブを提供することにある。
【課題を解決するための手段】
【００１０】
上記課題を解決するために、本発明は、弁体を回転させるバルブ装置の回転操作用軸部に取り付けられるバルブ用ハンドルにおいて、前記操作用軸部に同軸に装着される装着部と、前記装着部の軸線回りの周方向に配列されて当該装着部を囲む３つ以上の複数の指掛け部と、前記装着部と各指掛け部とを接続する接続部と、を有し、前記指掛け部は、前記軸線方向から見た場合の輪郭が円形であり、各指掛け部と前記装着部との間の距離は同一であり、前記接続部において前記周方向で隣り合う２つの指掛け部の間に位置する中間接続部分の外周縁は、複数の前記指掛け部の中心を接続する仮想円の内側に位置することを特徴とする。
【００１１】
本発明によれば、装着部と複数の指掛け部とを接続する接続部は、周方向で隣り合う２つの指掛け部の間に位置する中間接続部分の外周縁が、複数の指掛け部の中心を接続する仮想円の内側に位置する。これにより中間接続部分を径方向で小さくすることができるので、操作者の手が、各指掛け部の中心を通過する通過する仮想円に対して小さい場合でも、操作者がバルブ用ハンドルをしっかりと把持することが可能となる。また、中間接続部分の外周縁が各指掛け部の中心を通過する通過する仮想円よりも内側に位置すれば、バルブ用ハンドルを軸線回りに回転させようとしたときに、操作者の指が指掛け部から外周側に外れてしまうことを防止或いは抑制できる。すなわち、中間接続部分の外周縁が各指掛け部の中心を通過する通過する仮想円よりも内側に位置すれば、バルブ用ハンドルを軸線回りに回転させようとしたときに、操作者の指が、指掛け部における仮想円上、あるいは、仮想円の内側に位置するので、指掛け部から外周側に滑り落ちてしまうことを防止あるいは抑制できる。
【００１２】
本発明において、前記中間接続部分の外周縁は、前記周方向の中央部分が周方向の両端よりも内側に窪む湾曲形状であることが望ましい。このようにすれば、中間接続部分が軸線と直交する径方向で小径の部分を備えるものとなるので、ボールバルブを開閉する操作者は、バルブ用ハンドルを、より、把持しやすくなる。
【００１３】
本発明において、前記軸線方向から見た場合に、前記中間接続部分の外周縁は、前記指掛け部の輪郭に滑らかに連続し、前記軸線回りの周方向の一方側を第１方向、他方側を第２方向としたときに、前記中間接続部分の外周縁において前記第１方向の側に位置して前記指掛け部に連続する端部分は当該指掛け部の前記第２方向の側の端よりも前記第１方向の側に位置することを特徴とすることが望ましい。このようにすれば、指掛け部と連続する中間接続部分の外周縁の端部分がくびれた形状となる。従って、操作者は、中間接続部分と指掛け部の輪郭とが連続する部分に指を掛けやすい。
【００１４】
本発明において、前記中間接続部分は、前記軸線方向に貫通する開口部を備えるものとすることができる。このようにすれば、バルブ装置に取り付けられたバルブ用ハンドルを手動で回転させることができない場合などに、開口部に治具などを挿入して、バルブ用ハンドルを回転させることができる。
【００１５】
本発明において、前記装着部から当該装着部と同軸で前記軸線方向に突出するレンチ掛け部を有することが望ましい。このようにすれば、バルブ装置に取り付けられたバルブ用ハンドルを手動で回転させることができない場合などに、レンチ掛け部に、レンチを掛け
てバルブ用ハンドルを回転させることができる。
【００１６】
本発明において、前記指掛け部は、球形状であるものとすることができる。
【００１７】
また、本発明において、前記指掛け部は、円盤形状とすることができる。このようにすれば、指掛け部の軸線方向の高さ寸法が短縮化されるので、操作者がバルブ用ハンドルを握りやすい。
【００１８】
本発明において、前記指掛け部は、前記軸線回りに等角度間隔で５つ配列されているものとすることができる。このようにすれば、指掛け部を６つ以上備える場合と比較して、中間接続部分を径方向でより小さくすることができる。
【００１９】
次に、本発明のボールバルブは、上記のバルブ用ハンドルと、流入口および当該流入口と同軸の流出口を備える弁箱と、前記弁箱内に回転可能に配置されたボール弁体と、前記弁箱を外側から内側に貫通して当該弁箱内の端部分が前記ボール弁体に接続された回転操作用軸部材と、を有し、前記回転操作用軸部材は、前記流入口および前記流出口を通過する前記弁箱の軸線と直交する第２の軸線方向に延びており、前記弁箱は、前記回転操作用軸部材を、前記第２の軸線回りに回転可能に支持し、前記ボール弁体は、前記第２の軸線と直交する貫通流路を備え、前記回転操作用軸部材における前記ボール弁体とは反対側の軸端部分は、前記回転操作用軸部であり、前記バルブ用ハンドルの装着部が取り付けられていることを特徴とする。
【００２０】
本発明のボールバルブによれば、操作者がバルブ用ハンドルを把持しやすいので、ボールバルブの開閉が容易となる。
【発明の効果】
【００２１】
本発明のバブル用ハンドルは、指掛け部と指掛け部との間の中間接続部分が径方向で小さいので、操作者が把持しやすい。また、本発明のボールバルブは、バルブ用ハンドルを把持しやすいので、その開閉が容易である。
【図面の簡単な説明】
【００２２】
【図１】本発明を適用したボールバルブの断面図である。
【図２】実施例１のボールバルブのハンドルの正面図、左側面図、右側面図である。
【図３】実施例１のボールバルブのハンドルの平面図および斜視図である。
【図４】実施例２のボールバルブのハンドルの正面図および左側面図である。
【図５】実施例２のボールバルブのハンドルの平面図および底面図である。
【図６】実施例２のボールバルブのハンドルの平面図および底面図である。
【図７】実施例３のボールバルブのハンドルの正面図および左側面図である。
【図８】実施例３のボールバルブのハンドルの平面図および底面図である。
【図９】従来のバルブ用ハンドルの説明図である。
【発明を実施するための形態】
【００２３】
以下に、図面を参照して、本発明の実施の形態であるボールバルブおよびバルブ用ハンドルを説明する。
【００２４】
（実施例１）
（ボールバルブ）
図１は実施例１のボールバルブの断面図である。図１に示すように、ボールバルブ１（バルブ装置）は、流入口２と当該流入口２と同軸の流出口３を備える弁箱４と、弁箱４内に回転可能に配置されたボール弁体５と、弁箱４に固定されてボール弁体５と流入口２と
の間に位置する環状の第１ボールシート６と、弁箱４に固定されてボール弁体５と流出口３との間に位置する第２ボールシート７とを有する。流入口２と流出口３とは同一の内径寸法を備える。第１ボールシート６および第２ボールシート７は、流入口２および流出口３と同軸に配置されている。
【００２５】
また、ボールバルブ１は、弁箱４を外側から内側に貫通して弁箱４内の端部分がボール弁体５に接続された回転操作用軸部材８を有する。回転操作用軸部材８は、流入口２および流出口３を通過する弁箱４の軸線Ｌ１と直交する第２の軸線Ｌ２方向に延びている。以下の説明では、軸線Ｌ１方向をＸ軸方向とし、軸線Ｌ１方向で流入口２が位置する側を−Ｘ方向、流出口３が位置する側を＋Ｘ方向とする。第２の軸線Ｌ２方向をＹ軸方向とし、第２の軸線Ｌ２方向でボール弁体５が位置する側を−Ｙ方向、その反対側を＋Ｙ方向とする。
【００２６】
弁箱４の軸線Ｌ１および第２の軸線Ｌ２はボール弁体５の中心を通過する。弁箱４は、回転操作用軸部材８を第２の軸線Ｌ２回り（Ｙ軸回り）に回転可能に支持する。ボール弁体５は、第２の軸線Ｌ２と直交してボール弁体５の中心を通過する貫通流路９を備える。回転操作用軸部材８のおけるボール弁体５とは反対側の軸端部分８ａ（ボールバルブ１の回転操作用軸部）は、Ｙ軸方向から見た場合の輪郭形状が正方形形状とされている。軸端部分８ａには、ハンドル１０（バルブ用ハンドル）が取り付けられている。ハンドル１０はボルトを用いて軸端部分８ａに固定される。
【００２７】
さらに、ボールバルブ１は、流入口２と連通する流入側の第１管継手部１１と、流出口３に連通する第２管継手部１２とを備える。第１管継手部１１および第２管継手部１２は弁箱４の軸線Ｌ１と同軸である。第１管継手部１１は弁箱４から−Ｘ方向に延び、第２管継手部１２は弁箱４から＋Ｘ方向に延びる。
【００２８】
ハンドル１０を回転させると回転操作用軸部材８が回転して、弁箱４内でボール弁体５が回転する。これにより、ボール弁体５の貫通流路９がＸ軸方向に沿った状態となるとボールバルブ１は開状態となり、弁箱４内を水が流通可能となる。また、ボール弁体５の貫通流路９がＸ軸方向と直交する方向に沿った状態となると、ボールバルブ１は閉状態となり、弁箱４内を水が流通不能となる。
【００２９】
ここで、弁箱４は、第１弁箱構成部材１５と、第１弁箱構成部材１５に＋Ｘ方向から接続された第２弁箱構成部材１６と、から構成されている。第１弁箱構成部材１５には第１管継手部１１が一体に設けられ、第２弁箱構成部材１６には、第２管継手部１２が一体に設けられている。
【００３０】
第１弁箱構成部材１５は、流入口２と、＋Ｘ方向の端から−Ｘ方向に窪む凹部１７と、第１ボールシート６が固定される第１固定部１８と、を備える。また、第１弁箱構成部材１５は、回転操作用軸部材８を回転可能に支持する支持部１９と、流入口２から−Ｘ方向に延びる第１管継手部１１と、を備える。流入口２は凹部１７における−Ｘ方向の内壁面に開口している。第１固定部１８は凹部１７の−Ｘ方向の内壁面において、流入口２の外周側に形成された環状段部である。第１ボールシート６は環状の弁座である。第１ボールシート６は第１固定部１８（環状段部）に固定されて流入口２を囲んでいる。支持部１９は、第１弁箱構成部材１５をＸ軸方向に貫通する貫通穴２０を備える。貫通穴２０は凹部１７の＋Ｙ方向の内壁面に開口する。回転操作用軸部材８は、＋Ｙ方向から貫通穴２０を貫通しており、−Ｙ方向の端部分が凹部１７内に配置されたボール弁体５に接続されている。
【００３１】
第２弁箱構成部材１６は、Ｙ軸方向に延びる筒部２４を備える。筒部２４は、−Ｘ方向
の端部分が第１弁箱構成部材１５の凹部１７に挿入されて第１弁箱構成部材１５に接続される。筒部２４の内周面のＹ軸方向の途中位置には、内周側に突出する内側環状突部２５が設けられている。内側環状突部２５の内周面は弁箱４の流出口３を規定する。内側環状突部２５において−Ｘ方向を向く円環状面と、筒部の内周面において環状突部に−Ｘ方向で隣接する内周面部分とにより形成された環状段部は第２ボールシート７を固定する第２固定部２６である。第２ボールシート７は環状の弁座である。第２ボールシート７は第２固定部２６（環状段部）に固定されている。筒部２４において、内側環状突部よりも＋Ｘ方向の側は、第２管継手部１２である。
【００３２】
（ハンドル）
図２（ａ）はハンドル１０をＹ軸と直交する一方向から見た正面図であり、図２（ｂ）はハンドル１０の左側面図であり、図２（ｃ）はハンドル１０の右側面図である。図３（ａ）はハンドル１０を＋Ｙ方向から見た場合の平面図であり、図３（ｂ）はハンドル１０の正面、右側面、および平面を示す斜視図である。図３（ｂ）の細線は立体の形状を表すための線である。なお、本例のハンドル１０の背面図は、図２（ａ）のハンドル１０の正面図と対称に表わされる。また、本例のハンドル１０の底面図は、図３（ａ）のハンドル１０の平面図と同一に表される。
【００３３】
ハンドル１０は鋳造品である。図２および図３に示すように、ハンドル１０は、回転操作用軸部材８におけるボール弁体５とは反対側の軸端部分８ａ（回転操作用軸部）に同軸に取り付けられる装着部３１と、装着部３１の軸線Ｌ２（第２の軸線）回りの周方向に配列されて装着部３１を囲む５つの指掛け部３２を備える。
【００３４】
装着部３１は、円盤形状であり、図３に示すように、その中心に軸線Ｌ２方向に貫通する矩形の軸穴３３を備える。軸穴３３には、回転操作用軸部材８の軸端部分８ａが挿入される。これにより、ハンドル１０は回転操作用軸部材８に装着される。各指掛け部３２は、球形状であり、Ｙ軸方向（軸線Ｌ２方向）から見た場合の輪郭が円形である。各指掛け部３２と装着部３１との間の距離は同一である。Ｙ軸方向における各指掛け部３２の中心の高さ位置は同一である。
【００３５】
また、ハンドル１０は、装着部３１と各指掛け部３２とを接続する接続部３４を有する。接続部３４は装着部３１から外周側に広がり、各指掛け部３２の内周側（軸線Ｌ２に近い側）に接続されている。ここで、接続部３４において周方向で隣り合う２つの指掛け部３２の間に位置する中間接続部分３５の外周縁３５ａは、５つの指掛け部３２の中心を接続する仮想円Ｓの内側に位置する。仮想円Ｓは、軸線Ｌ２を中心とし、軸線Ｌ２から各指掛け部３２の中心までの距離を半径とする円である。
【００３６】
中間接続部分３５の外周縁３５ａは、周方向の中央部分が周方向の両端よりも内側に窪む湾曲形状である。また、軸線Ｌ２方向から見た場合に、中間接続部分３５の外周縁３５ａは、指掛け部３２の輪郭に滑らかに連続しており、軸線Ｌ２回りの周方向の一方側を第１方向Ｄ１、他方側を第２方向Ｄ２としたときに、中間接続部分３５の外周縁３５ａにおいて第１方向Ｄ１の側に位置する指掛け部３２に連続する端部分３５ｂは、当該指掛け部３２の第２方向Ｄ２の側の端３２ａよりも第１方向Ｄ１の側に位置する。これにより、中間接続部３５と第１方向Ｄ１の側に位置する指掛け部３２との間にはくびれ３６が形成されている。また、中間接続部分３５の外周縁３５ａにおいて第２方向Ｄ２の側に位置する指掛け部３２に連続する端部分３５ｃは、当該指掛け部３２の第１方向Ｄ１の側の端３２ｂよりも第２方向Ｄ２の側に位置する。これにより、中間接続部３５と第２方向Ｄ２の側に位置する指掛け部３２との間にはくびれ３６が形成されている。
【００３７】
また、中間接続部分３５は、その外周縁３５ａと装着部３１との間に、軸線Ｌ２方向に
貫通する開口部３７を備える。開口部３７は、周方向で隣り合う２つの指掛け部３２の中間の角度位置に形成されている。開口部３７を軸線Ｌ２方向から見た場合の形状は、略三角形であり、頂点の一つを装着部３１の側に向けている。ここで、接続部３４は、開口部３７が設けられることにより、装着部３１から径方向に放射状に延びて装着部３１と各指掛け部３２とを接続する径方向接続部３８と、径方向接続部３８の先端と指掛け部３２との接続部３４分を周方向で接続する周方向接続部３９とを備えるものとなっている。
【００３８】
（作用効果）
本例のボールバルブ１では、ハンドル１０において周方向で隣り合う２つの指掛け部３２の間に位置する中間接続部分３５の外周縁３５ａが、５つの指掛け部３２の中心を接続する仮想円Ｓの内側に位置する。これにより中間接続部分３５が径方向で小さくなるので、ボールバルブ１を開閉する操作者の手が、各指掛け部３２の中心を通過する通過する仮想円Ｓに対して小さい場合でも、操作者がハンドル１０をしっかりと把持することができる。また、中間接続部分３５の外周縁３５ａが各指掛け部３２の中心を通過する通過する仮想円Ｓよりも内側に位置するので、ハンドル１０を軸線Ｌ２回りに回転させようとしたときに、操作者の指が指掛け部３２から外周側に外れてしまうことを防止或いは抑制できる。
【００３９】
すなわち、図９に示す従来のハンドル１０のように、周方向で隣り合う指掛け部３２の間を接続する周方向接続部３９が各指掛け部３２の中心を通過する仮想円Ｓ上に位置する場合には、ハンドル１００を把持した操作者の指は、指掛け部３２における仮想円Ｓよりも外側の部分に当接する。従って、ハンドル１０を軸線回りに回転させようとしたときに、操作者の指が、球形状の指掛け部３２から外周側に滑り落ちやすい。これに対して、ハンドル１０では、指掛け部３２の間を接続する周方向接続部３９（中間接続部分３５）が仮想円Ｓの内側に位置する。従って、ハンドル１０を把持した操作者の指は、指掛け部３２における仮想円Ｓ上、あるいは、仮想円Ｓの内側に位置する。従って、指掛け部３２から外周側に滑り落ちてしまうことを防止あるいは抑制できる。よって、本例によれば、ボールバルブ１を開閉しやすい。
【００４０】
また、本例では、ハンドル１０における中間接続部分３５の外周縁３５ａが周方向の中央部分が周方向の両端よりも内側に窪む湾曲形状なので、中間接続部分３５が径方向で小さい。よって、操作者は、ハンドル１０を、より、把持しやすい。また、本例では、指掛け部３２が５つなので、指掛け部３２が６つ以上の場合と比較して、中間接続部分３５を径方向でより小さくすることができる。
【００４１】
さらに、本例では、ハンドル１０における中間接続部分３５の外周縁３５ａが、指掛け部３２の輪郭における仮想円Ｓよりも内周側の輪郭部分に滑らかに連続しており、中間接続部分３５の外周縁３５ａと指掛け部３２の輪郭との連続部分にはくびれ３６が形成されている。従って、操作者は、中間接続部分３５と指掛け部３２の輪郭との連続部分に指を掛けやすい。
【００４２】
また、中間接続部分３５は、軸線Ｌ２方向に貫通する開口部３７を備えるので、例えば、ボールバルブ１のボール弁体５やボールシートに錆などの異物が付着して、ハンドル１０を手動で回転させることができない場合などに、開口部３７に治具などを挿入して、ハンドル１０を回転させることができる。
【００４３】
（実施例２）
以下に図面を参照して、実施例２のボールバルブ１を説明する。本例のボールバルブ１では、上記のハンドル１０とは異なるハンドル１０Ａが装着されている。また、本例のボールバルブ１では、ハンドル１０Ａを装着する回転操作用軸部材８の軸端部分８ａ（回転
操作用軸部）が、Ｙ軸方向から見た場合に円形の輪郭形状を備える。なお、本例のボールバルブ１では、他の部分の構成は、上記のボールバルブ１と同一なので、ハンドル１０Ａを説明して、他の説明は省略する。また、ハンドル１０Ａはハンドル１０と対応する構成を備えるので、対応する部分には同一の符号を付す。
【００４４】
図４（ａ）は本例のボールバルブ１のハンドル１０ＡをＹ軸と直交する一方向から見た正面図であり、図４（ｂ）はハンドル１０Ａの左側面図である。図５（ａ）はハンドル１０Ａを＋Ｙ方向から見た場合の平面図であり、図５（ｂ）はハンドル１０Ａを−Ｙ方向から見た場合の底面図である。図６（ａ）は、ハンドル１０Ａの正面、左側面図、および平面を示す斜視図であり、図６（ｂ）はハンドル１０Ａの正面、右側面、および底面を示す斜視図である。なお、本例のハンドル１０Ａの背面図は、図４（ａ）のハンドル１０Ａの正面図と同一に表わされる。また、本例のハンドル１０Ａの右側面図は、図４（ｂ）のハンドル１０Ａの左側面図と同一に表される。
【００４５】
ハンドル１０Ａは鋳造品である。図４から図６に示すように、ハンドル１０Ａは、回転操作用軸部材８におけるボール弁体５とは反対側の軸端部分８ａ（回転操作用軸部）に同軸に取り付けられる装着部３１と、装着部３１の軸線Ｌ２回りの周方向に配列されて装着部３１を囲む６つの指掛け部３２を備える。装着部３１は、円盤形状である。図６（ｂ）に示すように、装着部３１の−Ｙ方向の端面の中心には、＋Ｙ方向に窪む円形の凹部３３Ａが設けられている。凹部３３Ａには、回転操作用軸部材８の軸端部分８ａが挿入される。ハンドル１０Ａはボルトなどを用いて回転操作用軸部材８に装着される。
【００４６】
各指掛け部３２は、円盤形状であり、Ｙ軸方向（軸線Ｌ２方向）から見た場合の輪郭が円形である。各指掛け部３２と装着部３１との間の距離は同一である。Ｙ軸（軸線Ｌ２）における各指掛け部３２の中心の高さ位置は同一である。各指掛け部３２の−Ｙ方向の端面の中央部分には、円形凹部４１が設けられている。また、図４および図６（ａ）に示すように、ハンドル１０Ａは、装着部３１から＋Ｙ方向に同軸に突出するレンチ掛け部４２を備える。レンチ掛け部４２は六角柱形状をしている。従って、レンチ掛け部４２は軸線Ｌ２方向から見た場合の輪郭形状が６角形である。
【００４７】
さらに、ハンドル１０Ａは、装着部３１と各指掛け部３２とを接続する接続部３４を有する。図５に示すように、接続部３４は装着部３１から外周側に広がり、各指掛け部３２の内周側（軸線Ｌ２に近い側）に接続されている。ここで、接続部３４において周方向で隣り合う２つの指掛け部３２の間に位置する中間接続部分３５の外周縁３５ａは、６つの指掛け部３２の中心を接続する仮想円Ｓの内側に位置する。
【００４８】
中間接続部分３５の外周縁３５ａは、周方向の中央部分が周方向の両端よりも内側に窪む湾曲形状である。また、軸線Ｌ２方向から見た場合に、中間接続部分３５の外周縁３５ａは、指掛け部３２の輪郭に滑らかに連続しており、軸線Ｌ２回りの周方向の一方側を第１方向Ｄ１、他方側を第２方向Ｄ２としたときに、中間接続部分３５の外周縁３５ａにおいて第１方向Ｄ１の側に位置する指掛け部３２に連続する端部分３５ｂは、当該指掛け部３２の第２方向Ｄ２の側の端３２ａよりも第１方向Ｄ１の側に位置する。これにより、中間接続部３５と第１方向Ｄ１の側に位置する指掛け部３２との間にはくびれ３６が形成されている。また、中間接続部分３５の外周縁３５ａにおいて第２方向Ｄ２の側に位置する指掛け部３２に連続する端部分３５ｂは、当該指掛け部３２の第１方向Ｄ１の側の端３２ａよりも第２方向Ｄ２の側に位置する。これにより、中間接続部３５と第２方向Ｄ２の側に位置する指掛け部３２との間にはくびれ３６が形成されている。
【００４９】
また、中間接続部分３５は、その外周縁３５ａと装着部３１との間に、軸線Ｌ２方向に貫通する開口部３７を備える。開口部３７は、周方向で隣り合う２つの指掛け部３２の中
間の角度位置に形成されている。開口部３７を軸線Ｌ２方向から見た場合の形状は、略三角形であり、頂点の一つを装着部３１の側に向けている。ここで、接続部３４は、開口部３７が設けられることにより、装着部３１から径方向に放射状に延びて装着部３１と各指掛け部３２とを接続する径方向接続部３８と、径方向接続部３８の先端と指掛け部３２との接続部３４分を周方向で接続する周方向接続部３９とを備えるものとなっている。
【００５０】
（作用効果）
本例のボールバルブ１では、ハンドル１０Ａにおいて周方向で隣り合う２つの指掛け部３２の間に位置する中間接続部分３５の外周縁３５ａが、６つの指掛け部３２の中心を接続する仮想円Ｓの内側に位置する。これにより中間接続部分３５が径方向で小さくなる。また、中間接続部分３５の外周縁３５ａが各指掛け部３２の中心を通過する通過する仮想円Ｓよりも内側に位置するので、ハンドル１０Ａを軸線Ｌ２回りに回転させようとしたときに、操作者の指が指掛け部３２から外周側に外れてしまうことを防止或いは抑制できる。よって、ボールバルブ１を開閉しやすい。
【００５１】
また、本例では、ハンドル１０Ａにおける中間接続部分３５の外周縁３５ａが周方向の中央部分が周方向の両端よりも内側に窪む湾曲形状なので、中間接続部分３５が径方向で小さい。よって、操作者は、ハンドル１０Ａを、より、把持しやすい。さらに、本例では、ハンドル１０Ａにおける中間接続部分３５の外周縁３５ａが、指掛け部３２の輪郭における仮想円Ｓよりも内周側の輪郭部分に滑らかに連続しており、中間接続部分３５の外周縁３５ａと指掛け部３２の輪郭との連続部分にはくびれ３６が形成されている。従って、操作者は、中間接続部分３５と指掛け部３２の輪郭との連続部分に指を掛けやすい。
【００５２】
また、中間接続部分３５は、軸線Ｌ２方向に貫通する開口部３７を備えるので、ハンドル１０Ａを手動で回転させることができない場合などに、開口部３７に治具などを挿入して、ハンドル１０Ａを回転させることができる。
【００５３】
さらに、本例では、ハンドル１０Ａが、装着部３１から＋Ｙ方向に突出するレンチ掛け部４２を有する。従って、ハンドル１０Ａを手動で回転させることができない場合などに、レンチ掛け部４２に、レンチを掛けてハンドル１０Ａを回転させることができる。
【００５４】
また、本例では、指掛け部３２が円盤形状である。これにより、指掛け部３２の軸線Ｌ２方向の高さ寸法が短縮化されるので、操作者がハンドル１０Ａを握りやすい。また、レンチ掛け部４２にレンチを掛ける場合に、指掛け部３２がレンチと干渉することを防止できる。さらに、指掛け部３２には円形凹部４１が形成されているので、ハンドル１０Ａを軽量化できる。
【００５５】
なお、レンチ掛け部４２は、装着部３１からＹ軸方向（軸線Ｌ２方向）を−Ｙ方向に突出するように設けてもよい。この場合には、レンチ掛け部４２を６角形の角筒とし、回転操作用軸部材８はレンチ掛け部４２の中心穴を貫通して、その軸端部分８ａ（回転操作用軸部）が装着部３１の凹部３３Ａに挿入されるものとすることができる。
【００５６】
また、指掛け部３２に設けた円形凹部４１は省略することもできる。さらに、指掛け部３２は球形としてもよい。
【００５７】
（実施例３）
以下に図面を参照して、実施例３のボールバルブ１を説明する。図７（ａ）は本例のボールバルブ１のハンドル１０ＢをＹ軸と直交する一方向から見た正面図であり、図７（ｂ）はハンドル１０Ｂの左側面図である。図８（ａ）はハンドル１０Ｂを＋Ｙ方向から見た場合の平面図であり、図８（ｂ）はハンドル１０Ｂを−Ｙ方向から見た場合の底面図であ
る。なお、本例のハンドル１０Ｂの背面図は、図７（ａ）のハンドル１０Ｂの正面図と同一に表わされる。また、本例のハンドル１０Ｂの右側面図は、図７（ｂ）のハンドル１０Ｂの左側面図と同一に表される。
【００５８】
本例のボールバルブ１では、上記のハンドル１０とは異なるハンドル１０Ｂが装着されている。また、本例のボールバルブ１では、ハンドル１０Ｂを装着する回転操作用軸部材８の軸端部分８ａ（回転操作用軸部）が、Ｙ軸方向から見た場合に円形の輪郭形状を備える。本例のボールバルブ１のハンドル１０Ｂは、図７および図８に示すように、実施例２のボールバルブ１のハンドル１０Ａから開口部３７を省略したものである。
【００５９】
本例のボールバルブ１では、治具を挿入可能な開口部を備えていない点を除き、実施例２のボールバルブ１と同様の作用効果を得ることができる。
【００６０】
（その他の実施の形態）
実施例１のボールバルブ１のハンドル１０について、その指掛け部３２の形状を、実施例２、３のボールバルブ１のハンドル１０の指掛け部３２と同様に円盤形状としてもよい。また、円盤形状とした指掛け部３２に円形凹部４１を備えてもよい。また、実施例１のボールバルブ１のハンドル１０について、実施例２、３のボールバルブ１のハンドル１０Ａ、ハンドル１０Ｂと同様に、装着部３１から＋Ｙ方向または−Ｙ方向に突出するレンチ掛け部４２を備えてもよい。さらに、実施例１のボールバルブ１のハンドル１０について、実施例３のボールバルブ１のハンドル１０Ｂと同様に、開口部３７を省略してもよい。
【００６１】
また、実施例２、３のボールバルブ１のハンドル１０Ａ、１０Ｂについて、その指掛け部３２の形状を、実施例１ボールバルブ１のハンドル１０の指掛け部３２と同様に球形としてもよい。さらに、実施例２、３のボールバルブ１のハンドル１０Ａ、１０Ｂについて、指掛け部３２に設けた円形凹部４１を省略してもよい。また、実施例２、３のボールバルブ１のハンドル１０Ａ、１０Ｂについて、レンチ掛け部４２を省略してもよい。
【００６２】
なお、上記の例では、指掛け部３２は５つまたは６つであるが、３つ以上であれば、指掛け部３２の数を増減させることができる。この場合でも、接続部３４において周方向で隣り合う２つの指掛け部３２の間に位置する中間接続部分３５の外周縁３５ａを、複数の指掛け部３２の中心を接続する仮想円Ｓの内側に位置させることができる。
【００６３】
また、ハンドル１０、１０Ａ、１０Ｂのハンドル（バルブ用ハンドル）は、ゲートバルブ、ストップバブルなどのバルブ装置において、弁体を回転させる回転操作用軸部材の軸端部分回転操作用軸部）に取り付けることができる。
【符号の説明】
【００６４】
１…ボールバルブ（バルブ装置）、２…流入口、３…流出口、４…弁箱、５…ボール弁体、６…第１ボールシート、７…第２ボールシート、８…回転操作用軸部材、８ａ…軸端部分（回転操作用軸部）、９…貫通流路、１０・１０Ａ・１０Ｂ…ハンドル、１０…バルブ用ハンドル、１１…第１管継手部、１２…第２管継手部、１５…第１弁箱構成部材、１６…第２弁箱構成部材、１７…凹部、１８…第１固定部、１９…支持部、２０…貫通穴、２４…筒部、２５…内側環状突部、２６…第２固定部、３１…装着部、３２…指掛け部、３２ａ…指掛け部の第２方向の側の端、３２ｂ…指掛け部の第１方向の側の端、３３…軸穴、３３Ａ…凹部、３４…接続部、３５ｂ…第１方向の側の指掛け部に連続する中間接続部の端部分、３５ｃ…第２方向の側の指掛け部に連続する中間接続部の端部分、３５…中間接続部分、３５ａ…外周縁、３７…開口部、３８…径方向接続部、３９…周方向接続部、４１…円形凹部、４２…レンチ掛け部、Ｄ１…第１方向、Ｄ２…第２方向、Ｌ…軸線、Ｌ２…第２の軸線、Ｓ…仮想円
【図１】
2018204677.tif 000003
【図２】
2018204677.tif 000004
【図３】
2018204677.tif 000005
【図４】
2018204677.tif 000006
【図５】
2018204677.tif 000007
【図６】
2018204677.tif 000008
【図７】
2018204677.tif 000009
【図８】
2018204677.tif 000010
【図９】
2018204677.tif 000011